(57)【特許請求の範囲】
【請求項１】
ハウス、又は畜舎、或いは工場の妻面の幅一杯に第一枠体〜第四枠体で構成した方形状の枠を設け、この方形状の枠に空気透過パッドを設けるとともに、この空気透過パッドの上端側に、二本の給水管を併設し、この二本の給水管への給水は、同時に行い、かつ一方側から他方側に向かって行う構造とし、常時、前記空気透過パッドの上端に、均等に、給水するとともに、この二本の給水管は、連結継手を介して、隣接する他の二本の給水管に接続可能とし、また、前記空気透過パッドの下端側に設けてなる排水手段と、で構成した冷却用パッド装置において、
前記空気透過パッドは、前記方形状の枠内に組付ける構成とするとともに、この空気透過パッドの外面に、防虫ネットを面一に張装配置する構成とし、
また、前記二本の給水管は、前記空気透過パッドの上側と、前記方形状の枠の第一枠体との空間に設けるとともに、前記排水手段は、前記空気透過パッドの下側と、前記方形状の枠の第二枠体との空間に設けるとともに、この排水手段は、その一方側から他方側に向かって傾斜して設け、この他方側には繋ぎ管を繋ぐ構成とした給排水管と防虫ネットとを備えた冷却用パッド装置。
【請求項２】
請求項１に記載の給排水管と防虫ネットとを備えた冷却用パッド装置において、
前記防虫ネットは、前記第一枠体〜第四枠体の外面の四面に、それぞれ設けた各取付け手段を介して、前記空気透過パッドを、確実に被覆可能とする構成とした給排水管と防虫ネットとを備えた冷却用パッド装置。
【発明の詳細な説明】
【技術分野】
【０００１】
本発明は、給排水管と防虫ネットとを備えた冷却用パッド装置に関し、このハウス、又は畜舎、或いは工場を、経済的、省コスト、また省資源（エコ）で冷却可能とすること、又は、ハウス、又は畜舎、或いは工場の空気透過パッドの腐蝕防止を図る給排水管と防虫ネットとを備えた冷却用パッド装置に関する。
【背景技術】
【０００２】
従来、この種の空気透過パッドを利用した冷却方法（加湿式空調機装置）がある。例えば、単純に建物の側面開放部に、空気透過パッドと配管とをセットし、吸込手段で、外気を吸込む際に、加湿した空気を建屋内に取込み、気化冷却を図る構造であって、例えば、畜舎、工場等に採用されている。しかし、この空気透過パッドを、枠体に容易に組立て、しかも現場において、組立てること、等に関しては、開示がないこと、そして、また、農業分野において、空気透過パッドに向かって飛来する害虫防止に関する構造の開示がなされていないこと、等の問題が挙げられる。その他は、例えば、空気透過パッドの汚れ、細菌による汚染とか、この空気透過パッドの交換頻度が早く、その短命化等の問題が指摘されている。また、一方で、この空気透過パッドを、空調機用の気化式加湿器に採用し、主として、湿度管理（加湿制御）と、空調の補助を図る構造がある。しかし、空気透過パッドと、枠体との関係に関しては、同様に開示がないので、問題である。そして、また、空気透過パッドの汚れ、細菌による汚染とかによる異臭・短命化の問題と、さらには、静圧損失が高い（使わないときは撤去しないとエネルギーの無駄になる）こと、等の問題が考えられる。
【０００３】
以上の問題解消と、又は本発明と技術分野が類似する先行文献として、下記の文献（１）〜（３）が挙げられる。
【０００４】
その文献（１）は、特開平９−１１２９４６の「簡易空気冷却システム」であり、前述した、空気透過パッドを利用した冷却方法と同じ構造である。しかし、この文献（１）では、前述した問題に関しては、開示されていない。そして、これに関連する文献として、文献（２）の特開２０１０−２３０２８２の「空気調和機」とか、文献（３）の特開２０１０−２７６２４０の「空気調和装置」とかがある。何れも、前述の文献（１）と同じように、前述した問題に関しては、開示されていない。
【０００５】
また、文献（４）は、技術分野が類似する先行文献であり、特開２００１−２１５０２７の「畜舎及び栽培室用建物の空調システム」であり、多数枚の空気透過パッド（空気透過パッド）に対峙して配管を付設し、この配管からの水と、空気透過パッドに噴霧し、畜舎内に霧化し、気化冷却効果を図る構造であり、ファンの動力負荷の軽減化と、経済性の確保を意図する。しかし、この文献（４）では、前述した問題解消に関しては、開示されていない。
【０００６】
【特許文献１】特開平９−１１２９４６
【特許文献２】特開２０１０−２３０２８２
【特許文献３】特開２０１０−２７６２４０
【特許文献４】特開２００１−２１５０２７
【発明の概要】
【発明が解決しようとする課題】
【０００７】
前記で開示した、文献（１）〜（４）においては、次のような問題がある。例えば、空気透過パッドを、枠体に容易に組立て、しかも現場において、簡便に組立てること、等に関しては、開示がないこと、そして、また、農業分野において、空気透過パッドに向かって飛来する害虫防止に関する構造の開示がなされていないこと、等の問題が挙げられる。さらに、空気透過パッドの汚れ、細菌による汚染とかによる異臭・短命化の問題と、静圧損失が高い（使わないときは撤去しないとエネルギーの無駄になる）こと、等の問題」に関して、改良が行われていない。
【０００８】
上記に鑑み、本発明は、この問題を解消し、下記の特徴を達成することにある。
【０００９】
１．は、「空気透過パッドを、枠体に容易に組立て（組立てが簡易なこと）、しかも現場において、設置（簡便に設置）可能とすること、等に関する構造を提案すること、そして、また、農業分野において、空気透過パッドに向かって飛来する害虫防止に関する構造を提案すること、等にある」。
【００１０】
また、２．は、「空気透過パッドの汚れ、細菌による汚染とかによる異臭・短命化の問題解消に役立つこと、静圧損失を低くする（使わないときは撤去なしでも可能である）こと、等にある」。
【００１１】
そして、３．は、「防虫ネットと、ハウスのビニールフィルムとを、簡易に取付け、取外し可能とし、空気透過パッドを利用した気化冷却装置のハウスへの設置の簡便化と、経済性の向上と、空気透過パッドを利用した気化冷却装置の組付けの強度の向上等を図る」。
【００１２】
さらに、４．は、「枠体内に、給水管と排水手段を配置し、空気透過パッドを防虫ネットで被覆し、かつ面一に張装することで、ハウス、又は畜舎の体裁を確保する」。
【００１３】
また、５．は、「各空気透過パッドの内外面の幅内に、二本の給水管と、集合排水路（排水手段）を設置し、確実な給排水を図り、この各空気透過パッド内における均等な給排水を達成することで、カビ等の発生を極力少なくし、異臭・短命化の問題を解消する」。
【００１４】
そして、また、６．は、「各空気透過パッドに、銀イオン等の殺菌手段を利用し、雑菌繁殖の抑制と、悪臭弊害と、ハウス内への悪臭の排出なくし、作物の生育と病気防止、及び／又は、作業者の健康管理を図る」。
【課題を解決するための手段】
【００１５】
請求項１の発明は、前記１．〜５．を達成することを意図する。
【００１６】
請求項１は、ハウス、又は畜舎、或いは工場の妻面の幅一杯に第一枠体〜第四枠体で構成した方形状の枠を設け、この方形状の枠に空気透過パッドを設けるとともに、この空気透過パッドの上端側に、二本の給水管を併設し、この二本の給水管への給水は、同時に行い、かつ一方側から他方側に向かって行う構造とし、常時、前記空気透過パッドの上端に、均等に、給水するとともに、この二本の給水管は、連結継手を介して、隣接する他の二本の給水管に接続可能とし、また、前記空気透過パッドの下端側に設けてなる排水手段と、で構成した冷却用パッド装置において、
前記空気透過パッドは、前記方形状の枠内に組付ける構成とするとともに、この空気透過パッドの外面に、防虫ネットを面一に張装配置する構成とし、
また、前記二本の給水管は、前記空気透過パッドの上側と、前記方形状の枠の第一枠体との空間に設けるとともに、前記排水手段は、前記空気透過パッドの下側と、前記方形状の枠の第二枠体との空間に設けるとともに、この排水手段は、その一方側から他方側に向かって傾斜して設け、この他方側には繋ぎ管を繋ぐ構成とした給排水管と防虫ネットとを備えた冷却用パッド装置である。
【００２１】
請求項２の発明は、前記１．〜３．を達成することを意図する。
【００２２】
請求項２は、請求項１に記載の給排水管と防虫ネットとを備えた冷却用パッド装置において、
前記防虫ネットは、前記第一枠体〜第四枠体の外面の四面に、それぞれ設けた各取付け手段を介して、前記空気透過パッドを、確実に被覆可能とする構成とした給排水管と防虫ネットとを備えた冷却用パッド装置である。
【発明の効果】
【００２６】
請求項１の発明は、ハウス、又は畜舎、或いは工場の妻面の幅一杯に第一枠体〜第四枠体で構成した方形状の枠を設け、方形状の枠に空気透過パッドを設けるとともに、空気透過パッドの上端側に、二本の給水管を併設し、二本の給水管への給水は、同時に行い、かつ一方側から他方側に向かって行う構造とし、常時、空気透過パッドの上端に、均等に、給水するとともに、この二本の給水管は、連結継手を介して、隣接する他の二本の給水管に接続可能とし、また、空気透過パッドの下端側に設けてなる排水手段と、で構成した冷却用パッド装置において、
空気透過パッドは、方形状の枠内に組付ける構成とするとともに、この空気透過パッドの外面に、防虫ネットを面一に張装配置する構成とし、
また、二本の給水管は、空気透過パッドの上側と、方形状の枠の第一枠体との空間に設けるとともに、排水手段は、空気透過パッドの下側と、方形状の枠の第二枠体との空間に設けるとともに、排水手段は、その一方側から他方側に向かって傾斜して設け、他方側には繋ぎ管を繋ぐ構成とした給排水管と防虫ネットとを備えた冷却用パッド装置である。
【００２７】
従って、請求項１は、下記の１．〜３．の特徴がある。
【００２８】
１．は「空気透過パッドを、枠体に容易に組立て、しかも現場において、設置（簡便に設置）可能なこと、等に関する構造を提案できること、そして、また、農業分野において、空気透過パッドに向かって飛来する害虫防止に関する構造を提案できること、等である」。
【００２９】
また、２．は「空気透過パッドの汚れ、細菌による汚染とかによる異臭・短命化の問題解消に役立つこと、静圧損失を低くできる（使わないときは撤去なしでも可能である）こと、等である」。
【００３０】
そして、３．は「防虫ネットと、ハウスのビニールフィルムとを、簡易に取付け、取外し可能とし、空気透過パッドを利用した気化冷却装置のハウスへの設置の簡便化と、経済性の向上と、空気透過パッドを利用した気化冷却装置の組付けの強度の向上等が図れる」。
【００３２】
さらに、請求項１は、上記の１．〜３．のほかに４．の特徴がある。
【００３３】
さらに、４．は、「枠体内に、給水管と排水手段を配置し、空気透過パッドを防虫ネットで被覆し、かつ面一に張装することで、ハウス、又は畜舎の体裁を確保できる」。
【００３５】
またさらに、請求項１は、上記の１．〜３．のほかに５．の特徴がある。
【００３６】
また、５．は、「各空気透過パッドの内外面の幅内に、二本の給水管と、集合排水路（排水手段）を設置し、確実な給排水が図れ、この各空気透過パッド内における均等な給排水を達成できることで、カビ等の発生を極力少なくし、異臭・短命化の問題を解消できる」。
【００３７】
請求項２の発明は、請求項１に記載の給排水管と防虫ネットとを備えた冷却用パッド装置において、
防虫ネットは、第一枠体〜第四枠体の外面の四面に、それぞれ設けた各取付け手段を介して、空気透過パッドを、確実に被覆可能とする構成とした給排水管と防虫ネットとを備えた冷却用パッド装置である。
【００３９】
従って、請求項２の発明は、前記１．〜３．の特徴がある。
【図面の簡単な説明】
【００４３】
【図１】ハウスの妻面に空気透過パッドを利用した気化冷却装置を設置した縮尺正面図
【図２】図１のハウス内より見た縮尺正面図
【図３】図１のＡ−Ａ‘断面図
【図４】一基の枠体に、一枚の空気透過パッドを組立てた状態の正面図
【図４−１】一基の枠体に、一枚の空気透過パッドを組立てた状態で、給排管の位置関係を説明する正面摸式図
【図４−１−１】図４−１において、給水管と一枚の空気透過パッドとの関係を説明した拡大正面摸式図
【図４−１−２】図４−１において、排水管と一枚の空気透過パッドとの関係を説明した拡大正面摸式図
【図５−１】枠体と、取付け手段、並びに一枚の空気透過パッドとの関係を説明した平面摸式図
【図５−２】図５−１の給水管の配管構造を示した平面模式図
【図６−１】枠体と、取付け手段、並びに一枚の空気透過パッドとの関係を説明した側面摸式図
【図６−２】図５−１の給水管の配管構造を示した側面模式図
【発明を実施するための形態】
【００４４】
１はハウス（ハウス１は、畜舎、工場等の一例である）で、このハウス１は骨格を形成する柱鋼材２と梁鋼材３で枠組みした躯体１００と、この躯体１００に設けたビニールフィルム５（ガラス等の他の壁材もある。以下、フィルム５とする）とで構成する。そして、このハウス１の妻面１ａには、後述する空気透過パッド７と、その装置を架承する支持鋼材６、６が設けられる。
【００４５】
７はセルローズ紙のシートを接着、かつ編成した構造で、鋭角と鈍角の異なる溝角を備えた波形形状、又は、耐水性のセルローズ繊維からなる複数枚の自己支持性波板を凸条部で重ね合わせた多隙体形状等でなる本体部と、この本体部に無数形成された空気透過隙間を備えた空気透過パッドで、この空気透過パッド７は、組付け可能な第一枠体８ａと、第二枠体８ｂと、第三枠体８ｃと、第四枠体８ｄを枠組み構成した方形状の枠８内に、その周辺部を組付けられる（設置される）。そして、この組付け時に空気透過パッド７の上側７−１（上端側）と第一枠体８ａとの空間に、二本の給水管１０を設け、かつこの二本の給水管１０を、繋ぎ管１０ａ、１０ｂを介して連結する。この連結を介して、この二本の給水管１０の一方側から他方側、又は他方側から一方側の如く、それぞれの方向に、同時に給水する。また、この二本の給水管１０は、空気透過パッド７の表裏側７ａ、７ｂ（表側７ａ、裏側７ｂ、即ち、両外面の一例）の幅Ｘ間で、かつ枠体８の幅Ｙ間に設けられる。即ち、空気透過パッド７の表裏側７ａ、７ｂより突出せず、コンパクトで、かつ体裁よく組付けられる。また、二本の給水管１０の保守管理と、メンテナンスの簡便化等を図る。また、設置時に空気透過パッド７の下側７−２（下端側）と第二枠体８ｂとの空間に、排水樋１１（排水手段）を設ける。この排水樋１１は、前記幅Ｘ、Ｙ内に収める（空気透過パッド７の鉛直線上に配備する）ことで、前記同じ効果が期待できる。この排水樋１１を一方側が高く、他方側が低くなる傾斜形状として、排水の流れと集水を図る。そして、この排水樋１１の集水側は、繋ぎ管１２を介して排水管１３に接続されている。従って、集水された排水は、排水樋１１から排水管１３に導かれる。尚、給水管１０と空気透過パッド７の上側７−１と、排水樋１１と空気透過パッド７の下側７−２との間に、それぞれ隙間を形成する。これにより、例えば、給水管１０と空気透過パッド７の上側７−１の隙間は、給水管１０の目詰まり防止、及び空気透過パッド７への均等な給水確保とを図る。また、排水樋１１と空気透過パッド７の下側７−２の隙間は、排水樋１１を流れる排水と、この空気透過パッド７を流下する排水とを遮断し、この排水のスムーズな流れと、空気透過パッド７を流下する排水のスムーズな流下とを図る。尚、排水手段を、排水管１３の単独とするか、排水樋１１・繋ぎ管１２・排水管１３の何れかの組合せとするかは、適宜選択することが望ましい。例えば、空気透過パッド７の下端をビニールや樹脂等で封水する封水構造とし、この封水構造を、繋ぎ管１２を介して、排水管１３に接続することで、封水構造が排水樋１１の代替となる。尚、空気透過パッド７の下側７−２を、繋ぎ管１２に向かって下降する傾斜形状にすることで、排水のスムーズな流れを確保できる。
【００４６】
前記空気透過パッド７を、枠８に取付ける際には、この空気透過パッド７の上側７−１に、給水管１０を載架し、また、空気透過パッド７の下側７−２に排水樋１１をセットした、その左右側７−３、７−４に、枠８の第三枠体８ｃと第四枠体８ｄに近接する。この状態で枠８の四隅に設けた孔１５に図示しない止具を差込み緊締することで、組立てる構造である。
【００４７】
この空気透過パッド７の表側７ａには、先付け式の防虫ネット１６が張装される。この例では、枠８の表面に設けた取付け手段１７を利用して張装し、この空気透過パッド７の表側７ａを、少しの隙間Ｂを保持しながら被覆する。尚、この防虫ネット１６の張装の望ましい一例は、取付け手段１７に、防虫ネット１６と、ハウス１のビニールフィルム５を同時に設け、同時に、後付けで張装することが、簡便な設置ができること、また、ハウス１の密閉度が確保できるので、望ましい。この後付けの例では、現場において、簡易かつ確実に、防虫ネット１６を張装、かつ施工できる。
【００４８】
そして、この組立てた枠８に、給水管１０と、排水樋１１、防虫ネット１６（先付け式の例では）を備えた空気透過パッド７を、設置して一体化することで、現場において、気化冷却用の空気透過パッド装置Ａの一基が完成する（現場設置）。この作業で、ハウス１の妻面１ａに数基設置する。処で、この空気透過パッド装置Ａを、ハウス１に配備するには、ハウス１の妻面１ａに設けた支持鋼材６を利用する。即ち、図１と図２の如く、この支持鋼材６間に、複数基の空気透過パッド装置Ａを取付ける。その後、複数の二本の給水管１０の繋ぎ管１０ａには、本管１８を接続し、この給水管１０の繋ぎ管１０ｂ、及び／又は、連結継手１０ｃを経由して、次の給水管１０の繋ぎ管１０ａに接続する。そして、本発明では、この二本の給水管１０の細孔１０００による給水は、この空気透過パッド７の表裏側７ａ、７ｂを始めとして、その全体の厚みと幅に、万遍なく、略均等に供給されることで、後述する加湿空気の一定の湿り化を確保し、また、ハウス１内の略均等な気化冷却効果とを発揮できる。また、複数の排水樋１１の繋ぎ管１２を、それぞれ排水管１３に接続する。そして、これらの設置作業は、現場において、簡易かつ確実に行える特徴がある。
【００４９】
従って、給水は、本管１８より、繋ぎ管１０ａから給水管１０に至り、繋ぎ管１０ｂ、及び／又は、連結継手１０ｃを経由し、次の給水管１０の繋ぎ管１０ａに導かれる構造である（後は繰返しである）。この給水管１０に至った水は、この給水管１０に複数開設した細孔１０００より、空気透過パッド７の上側７−１より、順次、下側７−２に浸透流下される。この浸透流下の過程で、この空気透過パッド７を通過する風を湿潤（加湿）し、ハウス１内に、加湿空気を送り、気化冷却効果を図る。尚、外気の導入は、他の妻面に設けたファンを利用する。そして、空気透過パッド７を浸透流下した水は、排水として排水樋１１に至る。従って、夏場等の高温下における、生育と、生育環境維持に有効である。また、適度の湿度の確保にも有効である。
【００５０】
この空気透過パッド７には、雑菌繁殖防止と、悪臭回避、又は腐蝕防止等を図るために抗菌処理、除菌処理を行う。例えば、銀イオン処理、チタン処理、又は防虫・防黴等の化学処理、その他の処理を行うこともあり得る。この処理は、給水に所定量混合し、希釈化した薬品を所定時間、空気透過パッド７に流す方法も有効である。殊に、この空気透過パッド７が湿潤時に行うことが有効である。
【００５１】
そして、図示しないが、畜舎の例も、前述のハウス１の例に準ずる。また、夏場等の高温下における、家畜の成育と、生育環境維持等に有効である。図中Ｃは虫である。
【００５２】
尚、図示しないが、工場の例も、前述のハウス１の例に準ずる。また、その他は、畜舎の例に準ずる。
【符号の説明】
【００５３】
１          ハウス
１００      躯体
１ａ        妻面
２          柱鋼材
３          梁鋼材
５          ビニールフィルム
６          支持鋼材
７          空気透過パッド
７ａ        表側
７ｂ        裏側
７−１      上側
７−２      下側
７−３      左側
７−４      右側
８          枠
８ａ        第一枠体
８ｂ        第二枠体
８ｃ        第三枠体
８ｄ        第四枠体
１０        給水管
１０ａ      繋ぎ管
１０ｂ      繋ぎ管
１０ｃ      連結継手
１０００    細孔
１１        排水樋
１２        繋ぎ管
１３        排水管
１５        孔
１６        防虫ネット
１７        取付け手段
１８        本管
Ａ          空気透過パッド装置
Ｂ          隙間
Ｃ          虫
Ｘ          幅
Ｙ          幅
【図１】
0005920963.tif 000002
【図２】
0005920963.tif 000003
【図３】
0005920963.tif 000004
【図４】
0005920963.tif 000005
【図４−１】
0005920963.tif 000006
【図４−１−１】
0005920963.tif 000007
【図４−１−２】
0005920963.tif 000008
【図５−１】
0005920963.tif 000009
【図５−２】
0005920963.tif 000010
【図６−１】
0005920963.tif 000011
【図６−２】
0005920963.tif 000012